(57)【特許請求の範囲】
【請求項１】
電線（１）を把持して引き留めるために、クランプ本体（３）およびボルト・ナット（５）を備えた複数の押え金具（７）から構成され、クランプ本体に形成された半円状断面のレール溝（９）に電線を配置し、これを押え金具によって挟止する耐張クランプ（１０）に取り付けられて用いられる耐張クランプ用分岐アダプタ（２０）であって、
前記クランプ本体のレール溝に沿うように形成され、かつ、電線を把持するための線溝が形成された線溝部（２２）と、分岐電線（１１）を取り付けるために該線溝部の一端に形成された連結部（２４）と、からなり、前記線溝部はクランプ本体のレール溝に取り付けられ、押え金具との間に配置した電線をボルト・ナットを締め付けることで挟止する、ことを特徴とする耐張クランプ用分岐アダプタ。
【請求項２】
前記耐張クランプ（１０）は、四分の一円弧状したレール溝（９）に沿って電線（１）を約９０°湾曲させる扇形耐張クランプである、ことを特徴とする請求項１に記載の耐張クランプ用分岐アダプタ。
【請求項３】
前記連結部（２４）は、前記線溝部（２２）の一端において外周側に屈曲するように伸長しており、かつ、その中央部には電線を通過させるための切れ込み（２６）が伸長方向に形成されている、ことを特徴とする請求項２に記載の耐張クランプ用分岐アダプタ。
【発明の詳細な説明】
【技術分野】
【０００１】
本発明は、電線を分岐させるための分岐アダプタに関し、より詳細には、例えば変電所等の鉄構や鉄塔などから電線を地上に引き下げるために耐張クランプが使用される場合に、この耐張クランプを利用して電線を分岐させるために用いる耐張クランプ用分岐アダプタに関する。
【背景技術】
【０００２】
耐張クランプとは、例えば変電所等において電線を鉄構から地上に引き下げて断路器等の設備に接続する際に、鉄構から地上まで引き下げた電線に一定の張力をかけて引き留めるために、電線を把持してこれを引っ張るための金物である。
【０００３】
図４に耐張クランプの一種である扇形耐張クランプの外観図および断面図を示した。ここで図４（ａ）は耐張クランプの正面構造を、図４（ｂ）は耐張クランプの背面構造を示した図であり、図４（ｃ）は図４（ａ）のＡ−Ａ線断面である。
【０００４】
この耐張クランプ１０は、アルミを鋳造して形成されたクランプ本体３と、ボルト・ナット５を有する押え金具７とから構成されている。
クランプ本体３は円弧状の斜辺部を有する略三角形状をしており、その斜辺部には受け口状にレール溝９が形成されている。このレール溝９には電線１が載置されるため、その断面が電線の直径とほぼ同様の長さの半円形となっている。また斜辺部の近傍には、次に説明する各押え金具７のボルトを貫通させる貫通孔１３が所定の間隔を保って複数個（図示の例では４個）形成されている（図４（ｃ）参照）。なおクランプ本体３の下端の一角には、碍子連を介して地面や鉄構にジョイント接続するためのジョイント孔１７が形成されている。
各押え金具７は、その下面にクランプ本体３のレール溝９と対向するように線溝が形成されるとともにボルトが貫通する構造となっている。各押え金具７は、その線溝がクランプ本体３のレール溝９の方向と一致するように対向した状態で、クランプ本体の貫通孔１３を貫通させたボルト・ナット５によってクランプ本体に取り付けられている。
【０００５】
この耐張クランプ１０では、クランプ本体３の斜辺部のレール溝９に配置した電線１を押え金具７によって挟み、ボルト・ナット５を締め付けることで電線を湾曲した状態で挟止する。
【０００６】
図５にこの耐張クランプ１０を用いて電線を鉄構から地上に引き下げ・引き留めて、断路器等の設備に接続した様子を示した。
上側の耐張クランプ１０（図５左側）は碍子連２を介して鉄構４１に、下側の耐張クランプは碍子連を介して地上に引き留められており、電線１は上下の耐張クランプの間に引き留められることで地上に設置された断路器４３等の設備まで引き下げられている。
【０００７】
なお耐張クランプに関する発明としては、例えば特許文献１の「耐張クランプ」などが発案されている。
【特許文献１】特開平７−７５２４１号公報
【発明の開示】
【発明が解決しようとする課題】
【０００８】
ここで図示したように上下の耐張クランプ１０の間に引き留められた電線１には、これを分岐させて避雷器４７に接続するためのＴ形圧縮スリーブ４５および分岐電線１１が取り付けられている。
【０００９】
ここでこのＴ形圧縮スリーブは、電線に圧着されることで電線に取り付けられているが、その取り付け作業は、圧縮のための専用の圧縮工具を用いて高所で行う必要があるため作業性が悪いといった問題があった。また、分岐ケーブルが不要となった場合には、Ｔ形スリーブが電線に残ることとなり、これを取り外すためには専用のカッターを用いた高所作業が必要となっていた。
【００１０】
本発明は上記問題を解決するためになされたもので、その目的は、鉄構から耐張クランプを用いて地上に引き下げ・引き留めた電線等を、簡易な作業によって容易に分岐することができる耐張クランプ用分岐アダプタを提供することにある。
【課題を解決するための手段】
【００１１】
上記問題を解決するために本発明の耐張クランプ用分岐アダプタは、電線（１）を把持して引き留めるために、クランプ本体（３）およびボルト・ナット（５）を備えた複数の押え金具（７）から構成され、クランプ本体に形成された半円状断面のレール溝（９）に電線を配置し、これを押え金具によって挟止する耐張クランプ（１０）に取り付けられて用いられる耐張クランプ用分岐アダプタ（２０）であって、前記クランプ本体のレール溝に沿うように形成され、かつ、電線を把持するための線溝が形成された線溝部（２２）と、分岐電線（１１）を取り付けるために該線溝部の一端に形成された連結部（２４）と、からなり、クランプ本体のレール溝に取り付けられ、前記線溝部は押え金具との間に配置した電線をボルト・ナットを締め付けることで挟止する、ことを特徴とする。
【００１２】
ここで、前記耐張クランプ（１０）は、四分の一円弧状したレール溝（９）に沿って電線（１）を約９０°湾曲させる扇形耐張クランプである、ものとする。
【００１３】
なお、前記連結部（２４）は、前記線溝部（２２）の一端において外周側に屈曲するように伸長しており、かつ、その中央部には電線を通過させるための切れ込み（２６）が伸長方向に形成されている、ことが好ましい。
【発明の効果】
【００１４】
本発明の耐張クランプ用分岐アダプタによれば、クランプ本体のレール溝に取り付けた分岐アダプタと押え金具との間にボルト・ナットを用いて電線を挟止し、耐張クランプ用分岐アダプタの末端に形成した連結部に、分岐電線（の末端に設けた圧縮端子金属プレート）を接続することで、ボルト・ナットを締め付けるための一般的なレンチによって、簡易にその取り付けを行うことができる。これによりＴ形圧縮スリーブのような専用の圧縮工具を用いた取り付け作業が不要となる。また、Ｔ形圧縮スリーブを用いる場合と比して、分岐電線を低所で取り付けるため、その取り付けの作業性も向上することとなる。さらに、分岐電線が不要となった場合にも、ボルト・ナットによって耐張クランプから耐張クランプ用分岐アダプタを容易に取り外して除去してやることができる。
【発明を実施するための最良の形態】
【００１５】
本発明の耐張クランプ用分岐アダプタは、電力事業者が変電所などにおいて、電線に一定の張力をかけて引き留める耐張クランプを用い、鉄構に架線された電線を地上に設置された断路器などの設備に引き下げる場合に、この耐張クランプを利用して電線を分岐させるものである。なお分岐した電線（分岐電線）は、落雷事故を回避するための安全装置である避雷器に接続される。
【００１６】
以下、本発明の一実施例に係る耐張クランプ用分岐アダプタについて説明する。図１に本実施例の耐張クランプ用分岐アダプタの斜視図を示した。
【００１７】
この耐張クランプ用分岐アダプタ２０は、前述した扇形耐張クランプに取り付けられて用いられるもので、厚さ１ｃｍ程度の短冊状の金属板（アルミ板など）をプレス成形することで一体的に製作される。
【００１８】
耐張クランプ用分岐アダプタ２０は、耐張クランプ１０のクランプ本体３のレール溝９に沿うように弧状に形成された線溝部２２と、線溝部の一端に形成された連結部２４とから構成されている。
【００１９】
図に示したように、弧状の線溝部２２はクランプ本体３のレール溝９の長さとほぼ同様の長さを有しており、その断面形状は山型をなしている。この線溝部２２の内側曲面にはクランプ本体３のレール溝９に嵌り込む凸条が形成されており、線溝部の外側曲面には電線１をちょうど載置することができる凹条が形成されている。
連結部２４は弧状の線溝部２２の一端を外側に直角に屈曲させ、かつ、平らに形成したものであり、その幅が５ｃｍ程度、長さが２０ｃｍ程度でその中心線部分には電線１を通過させるためのＵ字型の切れ込み２６が伸長方向に形成されている。すなわち連結部２４は、厚さ１ｃｍ程度の矩形平板の伸長方向中央に切れ込み２６を形成した二股形状をしている。またこの連結部２４には、左右に各２つのボルト取付穴３１が形成されている。
【００２０】
この耐張クランプ用分岐アダプタ２０を耐張クランプ１０のレール溝に嵌め込むことで、電線１は分岐アダプタ２０の線溝部２２によって底上げされ、分岐アダプタの線溝部２２に載置されて取り付けられることとなる（図２参照）。
【００２１】
一方、分岐アダプタ２０に接続される分岐電線１１の接続端（一末端）には、分岐アダプタ２０の連結部２４と同様の大きさ程度の矩形の圧縮端子３３が止着されており、この圧縮端子金属プレートには、連結部２４に形成されたボルト取付穴に対応した位置に小孔が形成されている。この圧縮端子３３と連結部２４とを重ね、小孔とボルト取付穴３１にボルトを通して螺合することで、圧縮端子金属プレートに止着した分岐電線１１が耐張クランプ用分岐アダプタ２０の連結部２４に連結される。
【００２２】
以上に説明した耐張クランプ用分岐アダプタ２０は、図２に示したように次のようにして耐張クランプ１０に取り付けられて使用される。
まず、クランプ本体３に取り付けられた押え金具７のボルト・ナット５を取り外し、クランプ本体３のレール溝９に、分岐アダプタ２０の線溝部２２の凸条が嵌り込むように載置してやる。このとき、線溝部２２の一端で屈曲する連結部２４は、クランプ本体３の斜辺部から遠ざかる方向に伸長していることとなる。
次に、分岐アダプタ２０の線溝部２２の凹条に電線１を湾曲させて載置し、この状態で押え金具７をクランプ本体３に取り付けてボルト・ナット５を締め付けてやる。すなわち、電線１は分岐アダプタ２０の連結部２４の凹条と押え金具７の線溝との間に挟止されて保持されることとなる。
なお分岐アダプタ２０の連結部２４は二股形状をしており、電線１はこの切れ込み２６を通り抜けるため、電線が連結部と干渉することはない。
【００２３】
図３に本実施例の耐張クランプ用分岐アダプタ２０の使用態様を示した。
変電所の鉄構４１に架かる電線１は、鉄構からぶら下がる碍子連２に連結された上側の耐張クランプ１０（図３左側）によって従来の通り把持されて鉄構から引き下げられ、引き下げられた電線１は、本発明の耐張クランプ用分岐アダプタ２０が取り付けられた下側の耐張クランプ１０によって把持される。ここで下側の耐張クランプ１０は地上に固定された碍子連２に連結されており、上側の耐張クランプ１０と下側の耐張クランプ１０との間の電線１には所定の張力がかけられている。引き下ろされた電線１は下側の耐張クランプ１０によってその伸長方向を水平方向に変え、地上に設置された断路器４３などの設備につながれるのは前述した通りである。
また、下側の耐張クランプ１０に取り付けられた分岐アダプタ２０からは、その連結部２４に圧縮端子３３が連結されることで分岐電線１１が分岐し、この分岐電線１１は地上に設置された避雷器４７につながれる。
【００２４】
以上に説明した本発明の耐張クランプ用分岐アダプタ２０によれば、電線を分岐させる場合に、Ｔ形圧縮スリーブでは必要であった専用の圧縮工具を不要として、一般的なレンチによって簡易にその取り付けを行うことができる。これにより容易に電線の分岐をさせることができ、また分岐電線１１が不要となった場合にも、容易にその除去が可能となる。さらに、分岐電線１１の取り付け位置を低所とすることができるため、取り付けの作業性も向上することとなる。
【００２５】
なお本発明の耐張クランプ用分岐アダプタ２０の形状等は、発明の趣旨を逸脱しない範囲で適宜変更することができるのは勿論である。例えば、扇形の耐張クランプ以外にも本発明の分岐アダプタの形状を変更することで、同様の目的を達成することができる。また本発明の耐張クランプ用分岐アダプタは、接続機器の電流容量に見合った大きさ・タイプのものが選定されて使用されるのは当然である。
【００２６】
分岐用アダプタ２０を容易に取り付けるため、耐張クランプ１０のレール溝９へジェル状の糊を付けることとしてやれば、作業性が向上するとともに、分岐用アダプタ２０が抜けにくくなる。
【産業上の利用可能性】
【００２７】
本発明の耐張クランプ用分岐アダプタは変電所などの鉄構等から耐張クランプを用いて引き下ろした電線を分岐させることを目的として発案されたものであるが、耐張クランプを用いて電線を引き留める個所であれば他の場面にも使用することが可能である。
【図面の簡単な説明】
【００２８】
【図１】実施例１の耐張クランプ用分岐アダプタの斜視図である。
【図２】耐張クランプに分岐アダプタおよび電線を取り付ける様子を示した図である。
【図３】実施例１の耐張クランプ用分岐アダプタの使用態様を示した図である。
【図４】扇形耐張クランプの正面図、背面図および断面図である。
【図５】耐張クランプ用分岐アダプタを用いて鉄構から電線を引き下ろす様子を示した図である。
【符号の説明】
【００２９】
１  電線
２  碍子連
３  クランプ本体
５  ボルト・ナット
７  押え金具
９  レール溝
１０  耐張クランプ
１１  分岐電線
１３  貫通孔
１７  ジョイント孔
２０  （耐張クランプ用）分岐アダプタ
２２  線溝部
２４  連結部
２６  切れ込み
３１  ボルト取付穴
３３  圧縮端子
４１  鉄構
４３  断路器
４５  Ｔ形圧縮スリーブ
４７  避雷器
【図１】
0005020108.tif 000002
【図２】
0005020108.tif 000003
【図３】
0005020108.tif 000004
【図４】
0005020108.tif 000005
【図５】
0005020108.tif 000006